(57)【特許請求の範囲】
【請求項１】
載置台上に被測定者が乗ることで体重を測定する重量測定装置と、前記載置台上に設けた足裏用電極と、靴下の無い足上部に接触する足用電極を上部のＵ字形状の両内側に備えた足用アタッチメントと、前記足裏用電極あるいは前記足用電極を通じて、被測定者の生体インピーダンスを測定するインピーダンス測定装置と、前記体重と前記生体インピーダンスを演算処理して被測定者の体内脂肪重量を算出する演算処理装置とを備えることを特徴とする体内脂肪重量計。
【請求項２】
更に、前記載置台に被さるように下方が開放された逆Ｕ字形状の電極カバーを備える一体型アタッチメントを備え、前記足用アタッチメントの左足用と右足用が前記電極カバーに配設され、前記電極カバーの裏面底部には、裏面電極が配設され、前記足用電極と前記裏面電極は電気的に接続され、前記裏面電極は前記電極カバーを前記載置台に被せたとき、前記足裏用電極と接触する請求項１に記載の体内脂肪重量計。
【請求項３】
前記足用アタッチメントは、前記足裏用電極と接触できる裏面電極を備え、前記足用電極は前記裏面電極と電気的に接続されている請求項１に記載の体内脂肪重量計。
【請求項４】
前記足用アタッチメントは、左足用と右足用が互いに独立している請求項１に記載の体内脂肪重量計。
【請求項５】
前記足用アタッチメントは、左足用と右足用が１個の部材に配設されている請求項１に記載の体内脂肪重量計。
【請求項６】
更に、前記足裏用電極と前記足用電極を切り換える切換手段を備える請求項１に記載の体内脂肪重量計。
【請求項７】
前記切換手段は、設定釦からなる請求項６に記載の体内脂肪重量計。
【請求項８】
前記載置台は勘合部を備え、前記切換手段は、前記勘合部に前記足用アタッチメントが装着されると自動的に足用電極でのインピーダンス測定へ切り換える請求項６に記載の体内脂肪重量計。
【請求項９】
前記切換手段は、前記足裏用電極が導通されたか、前記足用電極が導通されたかを電気的に判断し、電極を切り換える請求項６に記載の体内脂肪重量計。
【請求項１０】
前記足用アタッチメントの上部は高さを調節できる請求項１乃至請求項９に記載の体内脂肪重量計。
【請求項１１】
靴下の無い足上部に接触する足用電極を上部のＵ字形状の両内側に備えた足用アタッチメントと、裏面底部に裏面電極が配設された下方が開放された逆Ｕ字形状の電極カバーとを備えた一体型アタッチメントと、載置台上に被測定者が乗ることで体重を測定する重量測定装置と、前記載置台上に設けた足裏用電極と、前記足裏用電極あるいは前記足用電極を通じて、被測定者の生体インピーダンスを測定するインピーダンス測定装置と、前記体重と前記生体インピーダンスを演算処理して被測定者の体内脂肪重量を算出する演算処理装置とを備え、前記足用電極と裏面電極は電気的に接続され、前記一体型アタッチメントは、前記載置台に被さり、前記裏面電極は前記足裏用電極と接触することを特徴とする体内脂肪重量計。
【請求項１２】
載置台上に被測定者が乗ることで体重を測定する重量測定装置と、前記載置台上に設けた足裏用電極と、靴下の無い足上部に接触する足用電極を上部のＵ字形状の両内側に備えた足用アタッチメントと、前記足裏用電極あるいは前記足用電極を通じて、被測定者の生体インピーダンスを測定するインピーダンス測定装置と、前記体重と前記生体インピーダンスを演算処理して被測定者の体内脂肪重量を算出する演算処理装置とを備え、前記足用アタッチメントは、前記足裏用電極と接触できる裏面電極を備え、前記足用電極は前記裏面電極と電気的に接続されていることを特徴とする体内脂肪重量計。
【請求項１３】
前記足用アタッチメントの上部は高さを調節できる請求項１１または請求項１２に記載の体内脂肪重量計。
【請求項１４】
載置台上に被測定者が乗ることで体重を測定する重量測定装置と、靴下の無い足上部に接触する足用電極を上部のＵ字形状の両内側に備え前記載置台上に配設された足用アタッチメントと、前記足用電極を通じて、被測定者の生体インピーダンスを測定するインピーダンス測定装置と、前記体重と前記生体インピーダンスを演算処理して被測定者の体内脂肪重量を算出する演算処理装置とを備えることを特徴とする体内脂肪重量計。
【請求項１５】
前記足用アタッチメントは、左足用と右足用が１個の部材に配設されている請求項１４に記載の体内脂肪重量計。
【請求項１６】
前記足用アタッチメントの上部は高さを調節できる請求項１５に記載の体内脂肪重量計。
【発明の詳細な説明】
【０００１】
【産業上の利用分野】
生体インピーダンスと体重を同時に測定し、別に入力された身長、性別、年齢等の身体的データを基に体内脂肪量を算出表示する体内脂肪量計付体重計に関し、詳しくは生体インピーダンス測定部の改良に関するものである。
【０００２】
【従来の技術】
被検体の末端から微少な定電流を印可し、電極間の電圧低下分を測定することで得られる生体末端間インピーダンスを使用して、人体の組成が推定できること（The Ameri-can Journal of Clinical Nutrition, 41(4) 810-817 1985 "Assessment of fat-free mass using bioelectrical impedance measurement of the human body"） を利用した体内脂肪量計が提案され、（ＵＳＰ．４，００８，７２１、特公平５−４９０５０、特開平７−５１２４２等々）これらの提案の実施品が商品化されている。
【０００３】
なかでも、特公平５−４９０５０に係わる商品は、被測定者が体重計に載ったとき、両足の裏が接触する位置に生体インピーダンスを測定するための平らな金属製の電極を体重計の載置台表面に設け、載置台の指定された位置に裸足で載るだけで、体内脂肪量を推定する為の因子の内、測定毎に変化のある生体末端間インピーダンスと体重とを同時に測定し、計算式に取り込む事ができる、最も簡便に体内脂肪量が推定できる装置、脂肪計付体重計として商品化されている。
【０００４】
【発明が解決しようとする課題】
前記、脂肪計付体重計は、裸足で測定器に載ることが前提として設計されており、システムの構成上、抵抗が大きい靴，靴下を着用したままでは、電極と生体（足の裏）との間の抵抗での電圧降下が大きく、生体に所定の電流を流入する電圧を得ることができなくなり、正確な測定が不可能な構成となっている。
【０００５】
本発明が解決しようとする課題は、生体と、生体インピーダンスを測定するための電極との接触抵抗に大きな影響を与え、測定を不安定にする、抵抗の大きな靴，靴下を着用した状態でも、簡単に、正確に体内脂肪量を推定することができる体内脂肪計付体重計を提供する事である。
【０００６】
【課題を解決するための手段】
本発明の一つの観点によれば、載置台上に被測定者が乗ることで体重を測定する重量測定装置と、前記載置台上に設けた足裏用電極と、靴下の無い足上部に接触する足用電極を上部のＵ字形状の両内側に備えた足用アタッチメントと、前記足裏用電極あるいは前記足用電極を通じて、被測定者の生体インピーダンスを測定するインピーダンス測定装置と、前記体重と前記生体インピーダンスを演算処理して被測定者の体内脂肪重量を算出する演算処理装置とを備えることを特徴とする体内脂肪重量計が提供される。
本発明の一つの実施の形態によれば、更に、前記載置台に被さるように下方が開放された逆Ｕ字形状の電極カバーを備える一体型アタッチメントを備え、前記足用アタッチメントの左足用と右足用が前記電極カバーに配設され、前記電極カバーの裏面底部には、裏面電極が配設され、前記足用電極と前記裏面電極は電気的に接続され、前記裏面電極は前記電極カバーを前記載置台に被せたとき、前記足裏用電極と接触する。
本発明の別の実施の形態によれば、前記足裏用電極と接触できる裏面電極を備え、前記足用電極は前記裏面電極と電気的に接続されている。
本発明のさらに別の実施の形態によれば、前記足用アタッチメントは、左足用と右足用が互いに独立している。
本発明のさらに別の実施の形態によれば、前記足用アタッチメントは、左足用と右足用が１個の部材に配設されている。
本発明のさらに別の実施の形態によれば、更に、前記足裏用電極と前記足用電極を切り換える切換手段を備える。
本発明のさらに別の実施の形態によれば、前記切換手段は、設定釦からなる。
本発明のさらに別の実施の形態によれば、前記載置台は勘合部を備え、前記切換手段は、前記勘合部に前記足用アタッチメントが装着されると自動的に足用電極でのインピーダンス測定へ切り換える。
本発明のさらに別の実施の形態によれば、前記切換手段は、前記足裏用電極が導通されたか、前記足用電極が導通されたかを電気的に判断し、電極を切り換える。
本発明のさらに別の実施の形態によれば、前記足用アタッチメントの上部は高さを調節できる。
本発明の別の観点によれば、靴下の無い足上部に接触する足用電極を上部のＵ字形状の両内側に備えた足用アタッチメントと、裏面底部に裏面電極が配設された下方が開放された逆Ｕ字形状の電極カバーとを備えた一体型アタッチメントと、載置台上に被測定者が乗ることで体重を測定する重量測定装置と、前記載置台上に設けた足裏用電極と、前記足裏用電極あるいは前記足用電極を通じて、被測定者の生体インピーダンスを測定するインピーダンス測定装置と、前記体重と前記生体インピーダンスを演算処理して被測定者の体内脂肪重量を算出する演算処理装置とを備え、前記足用電極と裏面電極は電気的に接続され、前記一体型アタッチメントは、前記載置台に被さり、前記裏面電極は前記足裏用電極と接触することを特徴とする体内脂肪重量計が提供される。
本発明のさらに別の観点によれば、載置台上に被測定者が乗ることで体重を測定する重量測定装置と、前記載置台上に設けた足裏用電極と、靴下の無い足上部に接触する足用電極を上部のＵ字形状の両内側に備えた足用アタッチメントと、前記足裏用電極あるいは前記足用電極を通じて、被測定者の生体インピーダンスを測定するインピーダンス測定装置と、前記体重と前記生体インピーダンスを演算処理して被測定者の体内脂肪重量を算出する演算処理装置とを備え、前記足用アタッチメントは、前記足裏用電極と接触できる裏面電極を備え、前記足用電極は前記裏面電極と電気的に接続されていることを特徴とする体内脂肪重量計が提供される。
本発明の一つの実施の形態によれば、前記足用アタッチメントの上部は高さを調節できる。
本発明のさらに別の観点によれば、載置台上に被測定者が乗ることで体重を測定する重量測定装置と、靴下の無い足上部に接触する足用電極を上部のＵ字形状の両内側に備え前記載置台上に配設された足用アタッチメントと、前記足用電極を通じて、被測定者の生体インピーダンスを測定するインピーダンス測定装置と、前記体重と前記生体インピーダンスを演算処理して被測定者の体内脂肪重量を算出する演算処理装置とを備えることを特徴とする体内脂肪重量計が提供される。
本発明の一つの実施の形態によれば、前記足用アタッチメントは、左足用と右足用が１個の部材に配設されている。
本発明の別の実施の形態によれば、前記足用アタッチメントの上部は高さを調節できる。
【０００８】
【作用】
被測定者が足用アタッチメントを装着すると、靴，靴下の無い足上部に第２の電極が接触する。重量測定装置の載置台の足裏用電極の上に重なるようにアタッチメントを乗せると、第２の電極とアタッチメント下部裏面の裏面電極が電気的に接続される。１個の部材に左右の足用アタッチメントを配設したものは、先に足用アタッチメントを重量測定装置の載置台の足裏用電極の上に重ねておいて、その足用アタッチメントの上に被測定者が乗ると、第２の電極が靴，靴下の無い足上部に接触する。足上部と載置台の足裏用電極とが電気的に接続される。
【０００９】
【実施の形態】
重量測定装置の載置台には、左右の足の踵用と足先用の４個の電極が、それぞれ電気的に絶縁されて配設されている。アタッチメントは外形が絶縁部材で構成され、足が乗り易い形状で、大人から子供までの足が乗せられる大きさである。足用アタッチメントは、左右に独立したもの又は左右が１個の部材に配設されている。足用アタッチメントの下部裏面には、足用アタッチメントを載置台の電極の上に載せたときに、それぞれの電極と単独に接触する位置に裏面電極が配設されている。足用アタッチメントを載置台へ勘合するものでは、勘合部がコネクターを兼ねていて、インピーダンス測定装置と電気的に接続される。
【００１０】
足用アタッチメントの上部は伸縮自在で、先端部は略Ｕ字形状で、Ｕ字形状の両内側には被測定者の足部を挟む形で電極が配設されている。足用アタッチメントの下部裏面の裏面電極と、足用アタッチメント上部の第２の電極とは電気的に接続されている。
【００１１】
【実施例】
本発明の実施例を図面に基づいて説明する。図１は本発明の第１の実施例の足用アタッチメントと、足用アタッチメントを装着する体内脂肪重量計の図、図２は本発明の第２の実施例の足用アタッチメントの図、図３は本発明の第３の実施例の足用アタッチメントの図である。体内脂肪重量計（１）を図１に示す。重量測定装置（２）の載置台（３）には、左右の足の踵用と足先用の４個の足裏用電極（４）が、それぞれ電気的に絶縁されて配設されている。更に表示装置（５）及び被測定者のパラメータを入力・設定する設定釦（７）が配設されている。この表示部，設定釦は体内脂肪重量計本体とは別（セパレート，コードレス）に設けてもよい。
【００１２】
被測定者が裸足になって載置台（３）の足裏用電極（４）の上に乗ると、重量測定装置（２）で体重が測定されると同時に、インピーダンス測定装置（図示せず）で電極を通じて被測定者の生体インピーダンスが測定され、演算処理装置（図示せず）で処理されて表示部（５）へ表示される。この体内脂肪重量計では、インピーダンスを測定するための電極を被測定者の足の裏に接触させるようにしているので、靴や靴下を履いたままでは生体と電極との間に非導電物質である靴，靴下が介在するのでインピーダンスの測定ができず、被測定者は靴，靴下を脱いで裸足になる必要がある。
【００１３】
この問題を解決するために、本発明の発明者は靴，靴下を脱がずに、体重を測定すると同時にインピーダンスも測定できるアタッチメントを発明した。図１に示す本発明の実施例１のアタッチメントは、左右の足用アタッチメントを１個の部材である電極カバーへ配設した一体型アタッチメントである。この一体型アタッチメントを従来の体内脂肪重量計の載置台の上に被せるように乗せて、この一体型アタッチメントに被測定者が靴，靴下を履いたまま乗ってインピーダンスを測定する。
【００１４】
次に、この一体型アタッチメントについて説明する。一体型アタッチメント（１０）は大きくは電極カバー（９）、左足用アタッチメント（１１）、右足用アタッチメント（１２）とで構成されている。電極カバーは絶縁部材で構成され、体内脂肪重量計（１）の載置台（３）に被さるように下方が開放された逆Ｕ状になっている。電極カバー（９）の裏面底部には、互いに絶縁されて４個の導電部材である裏面電極（１３）が配設されている。この裏面電極は、電極カバーを体内脂肪重量計の載置台に被せたとき、載置台に配設されている足裏用電極（４）と接触するようになっている。
【００１５】
前方には、電極カバーを載置台に被せたときでも、設定釦（７）が操作できるように、又、表示装置（５）が見えるように、孔（１４）が設けてある。後方には、左足用アタッチメント（１１）と右足用アタッチメント（１２）が配設されている。
【００１６】
各足用アタッチメントは、被測定者の足上部の高さに合わせて、上部が上下に伸縮自在である。上部はＵ状で、Ｕ状の辺部内側左右には第２の電極である足用電極（１５）が配設されている。この足用電極と、前説の電極カバーの裏面電極（１３）とは、電気的に接続されている。左足踵下の裏面電極と左足用電極左又は右、左足先下の裏面電極と左足用電極右又は左、右足踵下の裏面電極と右足用電極左又は右、右足先下の裏面電極と右足用電極右又は左とが電気的に接続されている。
【００１７】
次に、一体型アタッチメントを使用しての体内脂肪の測定方法を説明する。被測定者の身長，年齢，性別などを設定釦（７）で入力・設定する。一体型アタッチメント（１０）を体内脂肪重量計（１）の載置台（３）に被せる。被測定者が靴下，靴を着用したまま裸足にならずにアタッチメントの上に乗る。左右それぞれの足用電極（１５）が靴下の無い足上部へ位置するように、左右の足用アタッチメント（１１），（１２）の上部の高さを調節して、電極を足上部に接触させる。
【００１８】
体内脂肪重量計の重量測定装置（２）が被測定者の体重を測定し、インピーダンス測定装置（図示せず）が足用電極を通じてインピーダンスを測定し、演算処理装置（図示せず）で演算処理されて、被測定者の体内脂肪重量が算出され、表示装置（５）に表示される。必要に応じて体重，体内脂肪率等が表示される。
【００１９】
次に、図２に示す本発明の実施例２について説明する。基本的には実施例１と同じである。アタッチメントを左右の足用にそれぞれ独立させたものである。被測定者の身長，年齢，性別などを設定釦で入力・設定し、左右のアタッチメントを実施例１と同じように装着して、載置台の上の足裏用電極（４）の上に裏面電極（１３）が重なるように乗る。体内脂肪重量計（１）の重量測定装置（２）が被測定者の体重を測定し、インピーダンス測定装置（図示せず）が足用電極（１５）を通じてインピーダンスを測定し、演算処理装置（図示せず）で演算処理されて、被測定者の体内脂肪重量が算出され、表示装置（５）へ表示される必要に応じて体重，体内脂肪率などが表示される。
【００２０】
図３に示す本発明の実施例３は、アタッチメントを載置台へ勘合装着するものである。回路的には勘合部（１６）でインピーダンス測定装置へ接続される。載置台へアタッチメントが装着されると、自動的に又は切換装置である設定釦（７）で切り換えて、足用電極でのインピーダンス測定へ切り替わる。更に、足裏用電極が導通（生体が接触）されたか、足用電極が導通（生体が接触）されたかを電気的に判断して、適用電極を切り換えることもできる。
【００２１】
被測定者の身長，年齢，性別などを設定釦で入力・設定し、実施例１と同じように載置台（３）の上に乗って足用電極（１５）を装着する。体内脂肪重量計の重量測定装置が被測定者の体重を測定し、インピーダンス測定装置が足用電極を通じてインピーダンスを測定し、演算処理装置で演算処理されて、被測定者の体内脂肪重量が算出され、表示装置（５）へ表示される。必要に応じて体重，体内脂肪率等が表示される。
【００２２】
【効果】
請求項１に記載の発明によれば、載置台上に被測定者が乗ることで体重を測定する重量測定装置と、前記載置台上に設けた足裏用電極と、靴下の無い足上部に接触する足用電極を上部のＵ字形状の両内側に備えた足用アタッチメントと、前記足裏用電極あるいは前記足用電極を通じて、被測定者の生体インピーダンスを測定するインピーダンス測定装置と、前記体重と前記生体インピーダンスを演算処理して被測定者の体内脂肪重量を算出する演算処理装置とを備えるので、非導電部材である靴、靴下などを履いたままで被測定者のインピーダンスが測定でき、体内脂肪量が算出できる。家庭では靴下を脱ぐことは問題ないが、展示会など公衆の前で靴下を脱ぐことにためらいを感じていた利用者が、何のためらいもなく簡単に体重と体内脂肪量を測定することができると云う大変優れた効果がある。
請求項２に記載の発明によれば、更に、前記載置台に被さるように下方が開放された逆Ｕ字形状の電極カバーを備える一体型アタッチメントを備え、前記足用アタッチメントの左足用と右足用が前記電極カバーに配設され、前記電極カバーの裏面底部には、裏面電極が配設され、前記足用電極と前記裏面電極は電気的に接続され、前記裏面電極は前記電極カバーを前記載置台に被せたとき、前記足裏用電極と接触するので、靴、靴下などを履いたままで被測定者のインピーダンスが測定できる。
請求項３に記載の発明によれば、前記足裏用電極と接触できる裏面電極を備え、前記足用電極は前記裏面電極と電気的に接続されているので、靴、靴下などを履いたままで被測定者のインピーダンスが測定できる。
請求項４に記載の発明によれば、前記足用アタッチメントは、左足用と右足用が互いに独立しているので、靴、靴下などを履いたままで被測定者のインピーダンスが測定できる。
請求項５に記載の発明によれば、前記足用アタッチメントは、左足用と右足用が１個の部材に配設されているので、靴、靴下などを履いたままで被測定者のインピーダンスが測定できる。
請求項６に記載の発明によれば、更に、前記足裏用電極と前記足用電極を切り換える切換手段を備えるので、電極を切り換えることが出来る。
請求項７に記載の発明によれば、前記切換手段は、設定釦からなるので、簡単に電極を切り換えることが出来る。
請求項８に記載の発明によれば、前記載置台は勘合部を備え、前記切換手段は、前記勘合部に前記足用アタッチメントが装着されると自動的に足用電極でのインピーダンス測定へ切り換えるので、自動的に電極を切り換えることができる。
請求項９に記載の発明によれば、前記切換手段は、前記足裏用電極が導通されたか、前記足用電極が導通されたかを電気的に判断し、電極を切り換えるので、自動的に電極を切り換えることができる。
請求項１０に記載の発明によれば、前記足用アタッチメントの上部は高さを調節できるので、足用電極を靴下のない足上部へ位置するようにでき、足用電極を足上部に接触させることができる。
請求項１１に記載の発明によれば、靴下の無い足上部に接触する足用電極を上部のＵ字形状の両内側に備えた足用アタッチメントと、裏面底部に裏面電極が配設された下方が開放された逆Ｕ字形状の電極カバーとを備えた一体型アタッチメントと、載置台上に被測定者が乗ることで体重を測定する重量測定装置と、前記載置台上に設けた足裏用電極と、前記足裏用電極あるいは前記足用電極を通じて、被測定者の生体インピーダンスを測定するインピーダンス測定装置と、前記体重と前記生体インピーダンスを演算処理して被測定者の体内脂肪重量を算出する演算処理装置とを備え、前記足用電極と裏面電極は電気的に接続され、前記一体型アタッチメントは、前記載置台に被さり、前記裏面電極は前記足裏用電極と接触するので、非導電部材である靴、靴下などを履いたままで被測定者のインピーダンスが測定でき、体内脂肪量が算出できる。家庭では靴下を脱ぐことは問題ないが、展示会など公衆の前で靴下を脱ぐことにためらいを感じていた利用者が、何のためらいもなく簡単に体重と体内脂肪量を測定することができると云う大変優れた効果がある。
請求項１２に記載の発明によれば、載置台上に被測定者が乗ることで体重を測定する重量測定装置と、前記載置台上に設けた足裏用電極と、靴下の無い足上部に接触する足用電極を上部のＵ字形状の両内側に備えた足用アタッチメントと、前記足裏用電極あるいは前記足用電極を通じて、被測定者の生体インピーダンスを測定するインピーダンス測定装置と、前記体重と前記生体インピーダンスを演算処理して被測定者の体内脂肪重量を算出する演算処理装置とを備え、前記足用アタッチメントは、前記足裏用電極と接触できる裏面電極を備え、前記足用電極は前記裏面電極と電気的に接続されているので、非導電部材である靴、靴下などを履いたままで被測定者のインピーダンスが測定でき、体内脂肪量が算出できる。家庭では靴下を脱ぐことは問題ないが、展示会など公衆の前で靴下を脱ぐことにためらいを感じていた利用者が、何のためらいもなく簡単に体重と体内脂肪量を測定することができると云う大変優れた効果がある。
請求項１３に記載の発明によれば、前記足用アタッチメントの上部は高さを調節できるので、足用電極を靴下のない足上部へ位置するようにでき、足用電極を足上部に接触させることができる。
請求項１４に記載の発明によれば、載置台上に被測定者が乗ることで体重を測定する重量測定装置と、靴下の無い足上部に接触する足用電極を上部のＵ字形状の両内側に備え前記載置台上に配設された足用アタッチメントと、前記足用電極を通じて、被測定者の生体インピーダンスを測定するインピーダンス測定装置と、前記体重と前記生体インピーダンスを演算処理して被測定者の体内脂肪重量を算出する演算処理装置とを備えるので、非導電部材である靴、靴下などを履いたままで被測定者のインピーダンスが測定でき、体内脂肪量が算出できる。家庭では靴下を脱ぐことは問題ないが、展示会など公衆の前で靴下を脱ぐことにためらいを感じていた利用者が、何のためらいもなく簡単に体重と体内脂肪量を測定することができると云う大変優れた効果がある。
請求項１５に記載の発明によれば、前記足用アタッチメントは、左足用と右足用が１個の部材に配設されているので、靴、靴下などを履いたままで被測定者のインピーダンスが測定できる。
請求項１６に記載の発明によれば、前記足用アタッチメントの上部は高さを調節できるので、足用電極を靴下のない足上部へ位置するようにでき、足用電極を足上部に接触させることができる。
【図面の簡単な説明】
【図１】本発明の実施例１のアタッチメントの図
【図２】本発明の実施例２のアタッチメントの図
【図３】本発明の実施例３のアタッチメントの図
【符号の説明】
１  体内脂肪重量計
２  重量測定装置
３  載置台
４  足裏用電極
５  表示装置
７  設定釦
９  電極カバー
１０  一体型アタッチメント
１１  左足用アタッチメント
１２  右足用アタッチメント
１３  裏面電極
１４  孔
１５  足用電極
１６  勘合部
【図１】
0003830255.tif 000002
【図２】
0003830255.tif 000003
【図３】
0003830255.tif 000004